(57)【要約】【課題】撮影視野領域においてフォーカスエリアの指標等の情報マークが被写体観察の妨げとならないようにする。【解決手段】ファインダー内に形成された発光表示部１６の撮影視野領域２２は、被写体からの反射光が透過され、被写体観察のために使用する。撮影視野領域２２に、フォーカスエリアの指標を発光表示するための発光部２５Ａ〜２５Ｆを設ける。各発光部２５Ａ〜２５Ｆは有機発光材料で形成される有機ＥＬ層を、第１及び第２の電極で挟持して構成する。第１及び第２の電極は透明電極で形成する。各発光部２５Ａ〜２５Ｆは、カメラの撮影光学系が合焦したとき、その発光を停止し、フォーカスエリアの指標の発光表示を停止する。フォーカスエリアの指標の発光表示を停止すると、撮影視野領域２２には、被写体以外の情報が表示されないので、被写体観察を快適に行うことができる。【選択図】図２
2007333767.tif 000002
【特許請求の範囲】
【請求項１】
有機発光材料を含む有機ＥＬ層を備え、前記有機ＥＬ層に電圧を印加することにより発光させて、発光表示を行う発光表示部がファインダー窓から視認されるように配置され、撮像装置に設けられるファインダー装置であって、
被写体からの光が透過され、被写体観察が可能な前記発光表示部の撮影視野領域には、前記有機ＥＬ層が発光させられることにより、第１の情報マークが表示され、
前記撮像装置の撮影光学系が合焦したときに、前記第１の情報マークの表示が停止されることを特徴とするファインダー装置。
【請求項２】
前記第１の情報マークはＡＦ関連表示であることを特徴とする請求項１に記載のファインダー装置。
【請求項３】
前記第１の情報マークを表示するための有機ＥＬ層は前記撮影視野領域に配置されると共に、その有機ＥＬ層を挟持する第１及び第２の電極は、それぞれ透明電極で構成されることを特徴とする請求項１に記載のファインダー装置。
【請求項４】
前記撮影視野領域の外側には、各種情報を表示するための情報表示領域が設けられ、
前記情報表示領域には、前記有機ＥＬ層が発光させられることにより、第２の情報マークが表示されることを特徴とする請求項１に記載のファインダー装置。
【請求項５】
前記撮影光学系が合焦したとき、前記第２の情報マークの表示が開始、又は停止されることを特徴とする請求項４に記載のファインダー装置。
【発明の詳細な説明】
【技術分野】
【０００１】
本発明は、有機ＥＬ素子で構成される発光表示部を有するファインダー装置に関する。
【背景技術】
【０００２】
従来、一眼レフカメラにおいて、ペンタプリズムと焦点板の間または焦点板とクイックリターンミラーの間の被写体結像位置近傍に有機エレクトロルミネセンス素子（以下、有機ＥＬ素子という）が配置されることが知られている。この有機ＥＬ素子は発光させられることにより、被写体観察が可能な撮影視野領域においてフォーカスエリアの指標等の各種情報マークを発光表示することができる。また、撮影視野領域の外側に設けられた情報表示部も発光させ、その発光により各種情報を表示することができる（特許文献１参照）。
【０００３】
撮影者は、例えばフォーカスエリアの指標の発光表示により、測距エリアを把握することができるとともに、情報表示部の発光により、シャッター速度、フィルム感度、ストロボ発光の有無等の撮影条件も確認することができる。
【特許文献１】特開２０００−２２１５７８号公報
【発明の開示】
【発明が解決しようとする課題】
【０００４】
特許文献１のファインダー装置では合焦の有無により有機ＥＬ素子の発光が制御されておらず、ピントが合った後においても、基本的に有機ＥＬ素子の発光は継続される。しかし、測距エリアの把握は、合焦後は不要であり、合焦後にフォーカスエリアの指標の発光が継続されると、被写体観察の妨げとなることがある。
【０００５】
そこで、本発明は上記問題点に鑑みて成されたものであり、有機ＥＬ素子から構成される発光表示部がファインダー内に形成されるファインダー装置において、フォーカスエリアの指標等の各種情報マークが被写体観察の妨げとならないようにすることを目的とする。
【課題を解決するための手段】
【０００６】
本発明に係るファインダー装置は、有機発光材料を含む有機ＥＬ層を備え、有機ＥＬ層に電圧を印加することにより発光させて、発光表示を行う発光表示部がファインダー窓から視認されるように配置され、撮像装置に設けられるファインダー装置であって、被写体からの光が透過され、被写体観察が可能な発光表示部の撮影視野領域には、有機ＥＬ層が発光させられることにより、第１の情報マークが表示され、撮像装置の撮影光学系が合焦したときに、第１の情報マークの表示が停止されることを特徴とする。
【０００７】
第１の情報マークを表示するための有機ＥＬ層は撮影視野領域に配置されると共に、その有機ＥＬ層を挟持する第１及び第２の電極は、それぞれ透明電極で構成されることが好ましい。これにより、第１の情報マークを表示するための有機ＥＬ層が発光しないとき、第１及び第２の電極が視認されないので、有機ＥＬ層を設けたことにより、被写体観察が妨げられることはない。
【０００８】
撮影視野領域の外側には、各種情報を表示するための情報表示領域が設けられ、情報表示領域には、有機ＥＬ層が発光させられることにより、第２の情報マークが表示されることが好ましい。第２の情報マークは合焦の有無にかかわらず表示されても良いし、撮影光学系が合焦したとき、第２の情報マークの表示が開始、又は停止されていても良い。なお、本明細書では、撮影視野領域に表示される情報マークが第１の情報マークとして定義されると共に、情報表示領域に表示される情報マークが第２の情報マークと定義される。
【０００９】
なお、第１及び第２の情報マークはシンボルマーク、アイコン、図、記号等のキャラクタや、数字、アルファベット等の文字等であるが、第１の情報マークは例えばフォーカスエリアの指標や合焦マーク（測距点）等のＡＦ関連表示であって、第２の情報マークは例えば文字やシンボルマークである。
【発明の効果】
【００１０】
本発明では、撮像装置の撮影光学系が合焦したとき、撮影視野領域に位置する情報マークの発光表示が停止されるので、合焦後の被写体観察において情報マークが観察の妨げとなることが防止される。
【発明を実施するための最良の形態】
【００１１】
以下本発明の実施形態について図面を用いて詳細に説明する。
図１は、本実施形態が適用された一眼レフカメラのファインダー装置を示す。なお、以下の説明においては、一眼レフカメラに適用された場合を説明するが、本発明は、コンパクトカメラ等、その他の撮像装置に適用することも可能である。
【００１２】
ファインダー装置１０は、対物レンズ（撮影光学系）１１と、クイックリターンミラー１２と、ピント板１３と、ペンタプリズム１４と、接眼レンズ１５と、発光表示部１６と、ファインダー窓１７とを備える。
【００１３】
被写体で反射された反射光は、対物レンズ１１で捉えられ、クイックリターンミラー１２で反射され、ピント板１３に導かれ、ピント板１３で一旦結像される。結像された上記反射光は、発光表示部１６を透過し、ペンタプリズム１４で２回反射され、接眼レンズ１５を介してファインダー窓１７に入射され、これにより被写体の観察が行われる。クイックリターンミラー１２はレリーズボタン（不図示）が全押されると、光路上から退避させられ、対物レンズ１１によって導かれた反射光は、ＣＣＤやフィルム等に導かれ、これらを露光する。
【００１４】
発光表示部１６は、有機ＥＬ素子から構成され、ピント板１３と、ペンタプリズム１４の間で、被写体からの光が通過する光路に交差する横断領域上に配置される。すなわち、発光表示部１６は被写体結像位置近傍に配設される。発光表示部１６から発せられた光も、ペンタプリズム１４、接眼レンズ１５を介してファインダー窓１７に入射され、これにより発光表示部１６はファインダー窓１７から視認される。なお、発光表示部１６は、クイックリターンミラー１２とピント板１３の間に配置することも可能である。
【００１５】
発光表示部１６の模式的な平面図を図２に示す。発光表示部１６は、矩形のファインダー視野領域２１と、ファインダー視野領域２１の上下左右の外側を囲み、枠状に形成されたファインダー視野外領域１９とを備える。ファインダー視野領域２１は、ファインダー窓１７（図１参照）から視認可能であるが、ファインダー視野外領域１９はファインダー窓１７から視認することができない領域である。
【００１６】
矩形のファインダー視野領域２１は、被写体を観察するための矩形の撮影視野領域２２と、撮影視野領域２２の上下左右の外側を囲み、四角枠状に形成された情報表示領域２３とを備える。撮影視野領域２２は被写体からの反射光が入射・透過される領域であって、被写体観察に使用される。情報表示領域２３は、後述する開口部５１が設けられた部分以外、発光表示部１６及び被写体からファインダー窓１７（図１参照）に入射される光が遮光される領域である。本実施形態では、情報表示領域２３の下側部分が、各種情報を表示するために使用される。
【００１７】
本実施形態の一眼レフカメラは、多点測距が可能であり、測距点Ｆは、撮影視野領域２２の中央領域Ｃにおいて、中央領域Ｃの中心点Ｐを中心に３×３設けられるとともに、中央領域Ｃを挟むように、中央領域Ｃの左右の外側に１点ずつ設けられる。
【００１８】
発光表示部１６は有機ＥＬ素子から構成され、撮影視野領域２２には複数の発光部２５Ａ〜２５Ｆが設けられる。各発光部２５Ａ〜２５Ｆは、所定形状にパターニングされて形成され、そのパターニングされた形状に応じた光を発することができる。
【００１９】
発光部２５Ａ、２５Ｂはそれぞれ円弧状にパターニングされ、撮影視野領域２２の中央部Ｐを左右から挟むマークとして形成される。発光部２５Ｃ〜２５Ｆは、それぞれ両端が内側に折り曲げられた上下に延びる棒状にパターニングされ、発光部２５Ｃ、２５Ｄは中央領域Ｃを左右から挟むマークとして形成される。また、発光部２５Ｅ、２５Ｆは、中央領域Ｃの外側に設けられた２点の測距点Ｆを左右から挟むマークとして形成される。上記測距点Ｆは、オートフォーカスによって対物レンズ１１が合焦されるときに使用され、これらマークは、ＡＦエリアを示すためのフォーカスエリアの指標として使用される。
【００２０】
これら発光部２５Ａ〜２５Ｆは、後述するように、陽極及び陰極に有機ＥＬ層が挟持されて構成されるが、陽極、陰極、及び有機ＥＬ層は透明材料で形成される。したがって、各発光部２５Ａ〜２５Ｆは、発光したときのみフォーカスエリアの指標（第１の情報マーク）として表示され、観察者に視認される。
【００２１】
各発光部２５Ａ〜２５Ｆには、ファインダー視野外領域１９から陽極線３１、及び陰極線３２が延ばされ、これら陽極線３１、及び陰極線３２を介して、各発光部に電圧が印加される。なお、陽極線３１、及び陰極線３２は、透明材料で形成され、被写体観察の妨げとはならない。また、陽極線３１、及び陰極線３２は図２においては撮影視野領域２２内のみにおいて表示する。
【００２２】
情報表示領域２３の下側部分にも、同様に複数の発光部２６Ａ〜２６Ｅが設けられる。発光部２６Ａ〜２６Ｃは、それぞれ発光することにより、特定のシンボルマーク（第２の情報マーク）を発光表示することが可能である。発光部２６Ａ、２６Ｂは撮影モードを表示するために使用されると共に、発光部２６Ｃはストロボ発光の有無を表示するために使用される。
【００２３】
発光部２６Ｄ、２６Ｅは複数のセグメントから成るセグメント発光部であって、各セグメントを適宜発光することにより、数字、文字（第２の情報マーク）を発光表示することができる。発光部２６Ｄ、２６Ｅは、それぞれシャッタースピード、絞り値を表示するために使用される。すなわち、本実施形態では、撮影視野領域２２にはＡＦ関連表示である第１の情報マークが、情報表示領域２３には各種撮影関連情報を表示するためのシンボルマーク、数字・アルファベット等の第２の情報マークが発光表示される。なお、発光部２６Ａ〜２６Ｅにも、ファインダー視野外領域１９から不図示の陽極線、陰極線が延ばされる。
【００２４】
図３は、本実施形態に係る発光表示部１６の断面図である。なお、図３では、代表的に発光部２５Ｃ、２６Ｃの構成を示す。図３に示すように、発光表示部１６は、透明基板４１と、透明基板４１に対向して設けられる封止部材４２とを備える。封止部材４２は、透明基板４１上の周辺部に積層された接着剤層３７を介して互いに接着され、透明基板４１及び封止部材４２の間には密閉空間３９が形成される。なお、発光表示部１６において、透明基板４１側が接眼側、封止部材４２側が対物側となる。
【００２５】
撮影視野領域２２における透明基板４１の上には、発光部２５Ａ〜２５Ｆを形成するために、複数の陽極３４ａが配置される。そして、各陽極３４ａの上には、それぞれ有機ＥＬ層３３ａが積層され、各有機ＥＬ層３３ａ上には、さらに陰極３５ａが積層される。また、情報表示領域２４においても同様に、複数の陽極３４ｂが配置され、各陽極３４ｂの上には有機ＥＬ層３３ｂ、陰極３５ｂが積層される。これら有機ＥＬ層３３ａ、３３ｂ、陽極３４ａ、３４ｂ、及び陰極３５ａ、３５ｂは密閉空間３９内に配置される。陽極３４ａ、３４ｂは、各発光部２５Ａ〜２５Ｆ、２６Ａ〜２６Ｅ毎（ただし、セグメント表示部においては、セグメント毎）に設けられる。このような構成により、各発光部は、それぞれ独立に発光することが可能である。
【００２６】
陽極３４ａ、３４ｂ、陽極線３１、及び陰極線３２は、上述したように透明電極であって、例えばITO（Indium Tin Oxide）、ATO(antimony doped tindioxide)、ZnO（zinc oxide）等の透明導電性金属化合物から形成される。有機ＥＬ層３３ａ、３３ｂは、陽極側から順に例えば正孔輸送材料で構成される正孔輸送層、有機発光材料で構成される有機発光層、電子輸送材料で構成される電子輸送層等が積層されて構成され、適宜赤、緑、青、又は白色の光を発するように構成される。撮影視野領域２２における陰極３５ａは上述したように透明電極であるので、例えばITO、ATO、ZnO等の透明導電性金属化合物のみから形成されても良いが、好ましくは以下に示すように２層構造で形成される。
【００２７】
すなわち、陰極３５ａは、有機ＥＬ層の上に積層される第１の陰極層と、第１の陰極層の上に積層される第２の陰極層とによって構成されることが好ましい。第１の陰極層は、例えばアルミニウム、インジウム、マグネシウム、カルシウム、チタニウム、イットリウム、リチウム、及びこれらの合金等の非透過性の陰極金属材料から形成されるとともに、第２の陰極層は、ITO、ATO、ZnO等の透明導電性金属化合物から形成される。第１の陰極層は非透過性物質によって構成されるが、その層厚が例えば１００Å以下に設定されることにより、実質的に透過性を有し、これにより陰極３５ａは透明電極に構成される。なお、この場合、第１の陰極層と各有機ＥＬ層の間には、電子注入層が積層されていたほうが良い。電子注入層は例えばLiFによって形成され、その厚さは例えば７Åである。なお、第２の陰極層の厚さは例えば２０００Åである。
【００２８】
陰極３５ａがITO等の透明導電性金属化合物のみから形成されると仕事関数が高くなり電子の注入性が低下する。しかし、陰極３５ａが第１及び第２の陰極層から構成され、かつ第１の陰極層に上述したような低仕事関数の陰極金属材料が用いられる場合、電子の注入性の低下を最小限に抑制することができる。
【００２９】
一方、発光部２６Ａ〜２６Ｅは、情報表示領域２３に設けられ、被写体からの光を透過させる必要がないので、発光部２６Ａ〜２６Ｅを構成する陰極３５ｂは非透明電極で構成され、上述した非透過性の陰極金属材料から形成される。これにより、陰極３５ｂは仕事関数が低くなり電子の注入性に優れるため、発光部２６Ａ〜２６Ｅの発光効率は、撮影視野領域２２に設けられた発光部２５Ａ〜２５Ｆの発光効率より優れる。
【００３０】
発光表示部１６の接眼側には遮光マスク５０が設けられる。遮光マスク５０は透明基板４１側から見ると四角枠状に形成され、遮光マスク５０が重ねられた領域が四角枠状の情報表示領域２３として形成される。遮光マスク５０は、各セグメントやシンボルマークの形状に応じてパターニングされた開口部５１が設けられる。発光部２６Ａ〜２６Ｅが発光すると、シンボルマークや各セグメントに応じた光が開口部５１から出射され、ファインダー窓１７においてシンボルマーク、数字、文字を観察することができる。
【００３１】
図４は、本実施形態に係る一眼レフカメラのブロック図である。図５は本実施形態のカメラの撮影動作を示すフローチャートである。なお、本実施形態の一眼レフカメラ全体の撮影動作はＣＰＵ５２で制御される。
【００３２】
図５に示すように、本ルーチンは、電源スイッチ６１が入力されることにより開始され、電源スイッチ６１が入力されると、ステップＳ１００に示すように、発光表示部１６の発光動作が開始される。すなわち、図２に示す発光部２５Ａ〜２５Ｆの発光が開始され、これにより撮影視野領域２２内にフォーカスエリアの指標が発光表示され、測距点Ｆの位置を撮影者に確認させることができる。また、モードがマクロモード又は風景モードになっている場合、発光部２６Ａ、又は発光部２６Ｂの発光が開始され、モードを撮影者に認識させる。
【００３３】
ステップＳ１０５では、電源スイッチ６１が再度入力されたかどうかが判定され、電源スイッチ６１が入力されていない場合、ステップＳ１１０に進む。一方、電源スイッチ６１が入力されたと判定された場合、発光表示部１６の発光動作が停止し、全ての発光部の発光が停止され、本ルーチンは終了する。
【００３４】
ステップＳ１１０では、レリーズボタン（不図示）が半押しされることにより、第１のスイッチ６２が入力されたか否かが判定され、第１のスイッチ６２が入力されるとステップＳ１２０に進む。一方、第１のスイッチ６２が入力されない場合、ルーチンはステップＳ１０５に戻る。なお、ステップＳ１０５〜Ｓ１１０の間において、マクロモードと風景モードのモード切替が行われた場合、割り込み動作が実施され、入力されたモードに応じて発光部２６Ａ、２６Ｂの発光が開始、又は停止される。
【００３５】
ステップＳ１２０では、ＡＥ回路５３によって、被写体輝度が測光され、その被写体輝度に基づき、シャッタースピード、絞り値が算出される。次いで、ステップＳ１３０において、ＡＦ回路５４によって、各測距点Ｆ（図２参照）における被写体距離が測定され、その被写体距離のうち最も短い距離の被写体距離が選択される。そして、ステップＳ１４０では、レンズ駆動回路５６によって、上記選択された被写体距離に応じた合焦位置に、対物レンズ１１が移動させられ、対物レンズ１１が合焦させられる。
【００３６】
ステップＳ１４０で対物レンズ１１が合焦した後、ステップＳ１５０では、発光表示部１６の発光制御が行われ、発光部２５Ａ〜２５Ｆ（図２参照）の発光が停止され、フォーカスエリアの指標の発光表示が停止される。また、発光部２６Ｄ、２６Ｅ（図２参照）の発光が開始され、発光部２６Ｄ、２６ＥによってステップＳ１２０で算出されたシャッタースピード、絞り値が発光表示される。さらに、被写体輝度が所定値より低い場合、後述する撮影動作ではストロボが発光されるので、撮影動作でフラッシュが発光されることを示すために、発光部２６Ｃ（図２参照）も発光される。
【００３７】
ステップＳ１６０では、レリーズボタンが全押しされ、第２のスイッチ６３が入力されたか否かが判定され、ステップＳ１６０で第２のスイッチ６３が入力されないと判定された場合、ステップＳ１６５に進む。ステップＳ１６５では、第１のスイッチ６２の入力の有無が判定される。そして、第１のスイッチ６２が入力されて半押し状態が継続されていると判定された場合、ステップＳ１６０に戻る。
【００３８】
一方、第１のスイッチ６２の入力がなく、半押し状態が継続されていないと判定された場合、ステップＳ１００に戻る。そして、発光部２６Ｃ〜２６Ｅの発光が停止されると共に、発光部２５Ａ〜２５Ｆの発光が再開され、撮影視野領域２２におけるフォーカスエリアの指標の発光表示が再開される。
【００３９】
一方、ステップＳ１６０で第２のスイッチ６３が入力されたと判定された場合、ステップＳ１７０において、被写体の撮影が行われる。すなわち、クイックリターンミラー１２（図１参照）が光路から退避され、ＣＣＤ又はフィルムの露光が行われ、静止画像が得られる。なおこのとき、シャッタースピード、絞り値はステップＳ１２０で算出されたものが使用されると共に、被写体輝度が所定値より低い場合、ストロボ回路５５によってストロボが発光される。撮影動作が終了すると、ステップＳ１００に戻り、発光部２６Ｃ〜２６Ｅの発光が停止されると共に、発光部２５Ａ〜２５Ｆの発光が再開され、撮影視野領域２２におけるフォーカスエリアの指標の発光表示が再開される。
【００４０】
以上のように、本実施形態では、撮影視野領域２２内のフォーカスエリアの指標が合焦前においては、発光表示させられるので、撮影者はフォーカスエリアの指標によって測距点Ｆの位置を確認しながら、写真の構図を決定することができる。また、対物レンズ１１が合焦した後、撮影視野領域２２内のフォーカスエリアの指標の発光表示が停止されるので、合焦後の被写体観察においてフォーカスエリアの指標が観察の妨げとなることが防止される。なお、合焦後において撮影者は測距点Ｆの位置を確認する必要はないので、フォーカスエリアの指標が表示されなくても何ら不都合が生じることはない。
【００４１】
本実施形態では、ステップＳ１００において、撮影視野領域２２内の全ての発光部２５Ａ〜２５Ｆが発光表示されたが、選択された発光部のみが発光される構成であっても良い。例えば、合焦方式に応じて、発光部２５Ａ、２５Ｂ、発光部２５Ｃ、２５Ｄ、又は発光部２５Ｅ、２５Ｆのうち、いずれか１組の発光部のみが発光されても良い。
【００４２】
また、本実施形態では、情報表示領域２３の発光部２６Ｃ〜２６Ｅは、合焦前には非発光であるとともに、合焦後に発光する構成であったが、合焦前に発光するとともに、合焦後に発光が停止されるような構成であっても良い。この場合、発光部２６Ｃ〜２６Ｅは、発光部２６Ａ、２６Ｂと同様に、撮影モードを示すためのシンボルマークを発光表示するものであったほうが良い。そして、例えば、撮影モードを示すために、発光部２６Ａ〜２６Ｅのうち、いずれか１つが合焦前に発光されるとともに、合焦後にその発光が停止される構成であったほうが良い。
【００４３】
さらに、本実施形態においては、発光部２６Ａ〜２６Ｅは撮影視野領域２２内に設けられても良く、この場合、これら発光部２６Ａ〜２６Ｅを構成する陰極は、発光部２５Ａ〜２５Ｆと同様に、透明電極から構成される。なお、この場合には、発光部２６Ａ〜２６Ｅは、シンボルマーク等の形状に合わせてパターニングされて構成される。また、この場合には、ファインダー視野領域２１には情報表示領域２３が設けられず、ファインダー視野領域２１には撮影視野領域２２のみから構成されても良い。さらに、第２の情報マークは、情報表示領域２３の下以外の領域、例えば左右の領域又は上の領域に発光表示されても良い。
【００４４】
さらに本実施形態では、ステップＳ１４０における合焦動作はオートフォーカスであったが、マニュアルフォーカスで行われる場合でも同様のルーチンで制御されても良い。
【００４５】
なお、撮影視野領域２２に表示される第１の情報マークは、フォーカスエリアの指標以外のＡＦ関連表示であっても良く、例えば測距点の位置を示すための合焦マーク等であっても良い。勿論、第１の情報マークは、電池の残量を示す電池マーク等であっても良いし、文字等であっても良い。
【図面の簡単な説明】
【００４６】
【図１】カメラのファインダー装置の平面図である。
【図２】本発明の一実施形態における発光表示部の平面図である。
【図３】発光表示部の断面図である。
【図４】本実施形態に係るカメラのブロック図である。
【図５】本実施形態係るカメラの撮影ルーチンにおけるフローチャートである。
【符号の説明】
【００４７】
１０  ファインダー装置
１６  発光表示部
１７  ファインダー窓
２１  ファインダー視野領域
２２  撮影視野領域
２３  情報表示領域
２５Ａ〜２５Ｆ、２６Ａ〜２６Ｅ  発光部
４１  透明基板
４２  封止部材
３３ａ、３３ｂ  有機ＥＬ層
３４ａ、３４ｂ  陽極
３５ａ、３５ｂ  陰極
５０  遮光マスク
５１  開口部
【図１】
2007333767.tif 000003
【図２】
2007333767.tif 000004
【図３】
2007333767.tif 000005
【図４】
2007333767.tif 000006
【図５】
2007333767.tif 000007